(57)【要約】【課題】床材のリフォームや床面の一部を張り替える際、簡単に施工でき、意匠性に優れた床材の取付け構造を提供する。【解決手段】表面に略等間隔で化粧溝が設けられた床パネルを、該化粧溝間の間隔と略同一の距離を隔てて床下地に敷設し、上記床パネルの長手方向側面どうしを固定する固定部材は双方の床パネルの長手方向側面を係合保持する係合保持部と床下地に固定する上方に開口する床固着部を有してなり、カバー部材は該固定部材を着脱自在に施蓋するとともに固定部材に係合する垂下係合片を垂設してなり、上記固定部材で床パネルを固定し、上記カバー部材を固定部材に固定してなる床パネルの取付け構造。【選択図】図３
2010255242.tif 000002
【特許請求の範囲】
【請求項１】
表面に略等間隔で化粧溝が設けられた床パネルを、該化粧溝間の間隔と略同一の距離を隔てて床下地に敷設し、上記床パネルの長手方向側面どうしを固定する固定部材は双方の床パネルの長手方向側面を係合保持する係合保持部と床下地に固定する上方に開口する床固着部を有してなり、カバー部材は該固定部材を着脱自在に施蓋するとともに固定部材に係合する垂下係合片を垂設してなり、上記固定部材で床パネルを固定し、上記カバー部材を固定部材に固定してなる床パネルの取付け構造。
【請求項２】
上記床固着部は、その両側部に係止立片が立設されるとともに、該係止立片の先端部には係止爪部が付設されてなる請求項１に記載の床パネルの取付け構造。
【請求項３】
上記床固着部は、その両側部に係止立片が立設されるとともに、該係止立片の先端部には係止折曲片が付設されてなる請求項１に記載の床パネルの取付け構造。
【請求項４】
上記垂下係合片が、拡縮自在の弾性体から構成されてなる請求項１に記載の床材の取付け構造。
【発明の詳細な説明】
【技術分野】
【０００１】
本願発明は床材の取付け構造に関し、さらに詳しくは、マンションや戸建住宅等、一般住宅の床下地に直貼り施工可能であり、リフォームや部屋の模様替え等のとき、簡単に張り替えできる床材の取付け構造に関するものである。
【背景技術】
【０００２】
近年、住宅分野において、フローリング仕上げがマンション等、集合住宅を中心に急速に拡大している。上記フローリングは、通常、木質系の床パネル等の床材を床下地に貼着等して施工され、掃除等の手入れが容易であり、ダニの発生やハウスダストの発生を抑えるなどの利点を有している。
【０００３】
上記床材を床下地材へ取付ける技術に関しては、例えば、特開平５−３０２４２５号公報に建築板材取り付け装置が開示されている。この建築板材取り付け装置は、建築下地に位置決め部材が取着固定され、この位置決め部材の両側に建築板材の端部が当接されて配置され、同位置決め部材に長尺目地材が着脱自在に嵌合固定されてこの長尺目地材の両側部と建築下地との間に建築板材の端部が各々挟着固定されると共に、同長尺目地材が両建築板材の端部表面に形成される凹段部に納めてなるものである。
【０００４】
そして、建築下地への取り付け施工が簡単で、建築板材の張り替えも容易に行うことができ、しかも、段差なく外観良好に連設施工されると、その効果が述べられている。
【先行技術文献】
【特許文献】
【０００５】
【特許文献１】特開平５−３０２４２５号公報
【発明の概要】
【発明が解決しようとする課題】
【０００６】
しかしながら、上記特許文献１に記載の技術では、両建築板材の幅方向端部と幅方向端部との間に上記長尺目地材が納められ、位置決め部材と長尺目地材との嵌合により建築板材を固定するもので、その表面部が床面に現出するため、長尺目地材の存在が目立ち、美観性に優れたものとはいいがたいものであると共に長尺目地材が直接に建築板材を固定しているために長期間使用の間に長尺目地材が浮き上がり外観を悪くする恐れもあった。
【０００７】
本願発明は、上記背景技術に鑑みてなしたものであり、その目的は、一般住宅のフローリングに用いられる床材をリフォームしたり、家族のライフサイクルにあわせて床パネルを張り替えたりする際、簡単に施工可能であり、美観性に優れた床材を取り付けるための取付け構造を提供することである。
【課題を解決するための手段】
【０００８】
上記課題を解決するために、本願請求項１に記載の発明に係る床パネルの取付け構造は、床パネルを一定の距離を隔てて床下地に敷設し、上記敷設した床パネルの長手方向側面どうしを固定する固定部材は双方の床パネルの長手方向側面を係合保持する係合保持部と床下地に固定する上方に開口する床固着部を有してなり、カバー部材は該固定部材を着脱自在に施蓋するとともに固定部材に係合する垂下係合片を垂設してなり、上記固定部材で床パネルを固定し、上記カバー部材を固定部材に固定してなる床パネルの取付け構造である。
【０００９】
また、本願請求項２に記載の発明においては、上記請求項１に記載の床パネルの取付け構造において、上記床固着部は、その両側部に係止立片が立設されるとともに、該係止立片の先端部には係止爪部が付設されてなることを特徴としている。
【００１０】
また、本願請求項３に記載の発明においては、上記請求項１に記載の床パネルの取付け構造において、上記床固着部は、その両側部に係止立片が立設されるとともに、該係止立片の先端部には係止折曲片が付設されてなることを特徴としている。
【００１１】
また、本願請求項４に記載の発明においては、上記請求項１に記載の床材の取付け構造において、上記垂下係合片が、拡縮自在の弾性体から構成されてなることを特徴としている。
【発明の効果】
【００１２】
本願請求項１記載の発明に係る床材の取付け構造においては、表面に略等間隔で化粧溝が設けられた床パネルを、該化粧溝間の間隔と略同一の距離を隔てて床下地に敷設し、上記床パネルの長手方向側面どうしを固定する固定部材は双方の床パネルの長手方向側面を係合保持する係合保持部と床下地に固定する上方に開口する床固着部を有してなり、カバー部材は該固定部材を着脱自在に施蓋するとともに固定部材に係合する垂下係合片を垂設してなり、上記固定部材で床パネルを固定し、上記カバー部材を固定部材に固定してなるため、固定部材を構成するカバー部材の幅を上記化粧溝間の間隔と略同一とすることにより、あたかも、カバー部材が化粧溝を有する床パネルの一部のように見え、２枚の床パネルどうしを違和感なく連設することができる。そして、カバー部材を固定部材に固定し、固定部材で床パネルの長手方向側面どうしを固定するためにカバー部材は床パネルより直接に外力を受けず、カバー部材は浮き上がる恐れが少ないものである。
【００１３】
また、固定部材は、上方に開口する床固着部と該床固着部を着脱自在に施蓋するカバー部材とからなり、カバー部材の下方には空間が床パネルの長手方向に形成されるため、この空間にパソコン用の配線や各種の電源線等を配設することが可能となり、配線類が露出することなく、見映えよく納めることができる。
【００１４】
また、本願請求項２記載の発明の床材の取付け構造においては、特に、上記床固着部は、その両側部に係止立片が立設されるとともに、該係止立片の先端部には係止爪部が付設されてなるため、この係止爪部が床パネルの側面に設けられたオス実を係止し、床固着部の基底部をビス固定することにより、床パネルをしっかりと床下地に取付けることができる。
【００１５】
また、上記カバー部材の下面の左右側に垂設された垂下係合片が上記係止立片と着脱自在に係合しているため、床パネルのリフォームや床面の一部を張り替えるときには、カバー部材を外し、床固着部を床下地から取り外すことによって、簡単に床パネルを取り出し、取り替えることができる。
【００１６】
また、本願請求項３記載の発明の床材の取付け構造においては、特に、上記床固着部は、その両側部に係止立片が立設されるとともに、該係止立片の先端部には係止折曲片が付設されてなるため、この係止折曲片が床パネルの側面に設けられたメス実に嵌合して係止し、床固着部の基底部をビス固定することにより、床パネルをしっかりと床下地に取付けることができる。
【００１７】
また、上記と同様に、上記カバー部材を外し、床固着部を床下地から取り外すことによって、簡単に床パネルのリフォームや床面の一部を取り替えることができる。
【００１８】
また、本願請求項４記載の発明の床材の取付け構造においては、特に、上記垂下係合片を拡縮自在の弾性体から構成することにより、例えば、垂下係合片を弾性を有する樹脂から下方に広がるハ字形に形成し、弾性抵抗に抗して床固着部に嵌入し、嵌入後、弾性復帰させることにより、係止立片に弾性係止させることができる。そして、簡単に着脱自在とすることができる。
【図面の簡単な説明】
【００１９】
【図１】本願発明に係る床材の取付け構造の一部を示す平面図。
【図２】図１におけるＸ−Ｘ線に沿う断面図
【図３】（イ）はオス実を床固着部の係止爪部で係止し、固定用ビスで仮留めした状態を示す断面図、（ロ）は他の床パネルのオス実を係止爪部によって係止し、固定用ビスで床下地に取付けた状態示す断面図、（ハ）は床固着部を着脱自在に覆うカバー部材によって施蓋した状態を示す断面図。
【図４】本願発明の第２実施形態に係る固定部材を用いて床パネルを床下地に取付けた状態を示す断面図。
【図５】本願発明の第３実施形態の固定部材に係る床固着部を示す斜視図。
【発明を実施するための形態】
【００２０】
以下、本願発明に係る床材の取付け構造の実施形態について図面を参照して詳細に説明する。図１は、本願発明に係る床材の取付け構造の一部を示す平面図である。図１に示すように、上記床材は複数の床パネル１を図示しない床下地の上に割付けて貼着等してなり、床パネル１の表面には２本の化粧用の目地１１が設けられている。ここで、目地１１は、間隔ｗをおいて設けられ、２枚の床パネル１は長手方向に上記目地１１間の間隔ｗと略等しい距離ｄをおき、固定部材Ａによって床下地に固定して取り付けられる。
【００２１】
図２は、図１におけるＸ−Ｘ線に沿う断面図である。図２に示すように、上記固定部材Ａは、床固着部２と、この床固着部２を着脱自在に覆う長尺のカバー部材３とからなり、上記床固着部２は、床パネル１の側面を係止するとともに、その基底部２３は固定用ビス５で床下地にビス留めされる。
【００２２】
詳しくは、図２に示すように、上方に開口する床固着部２の両側部には係止立片２１が立設され、この係止立片２１の先端部は外方に曲げられるとともに、床パネル１の側面に突設されたオス実１２を係止する係止爪部２１１を構成している。また、上記床固着部２の開口部は、カバー部材３で着脱自在に覆われるが、図２は、施蓋した状態を示す。図２に示されるように、カバー部材３の下方には、長手方向に空間が形成される。この空間は、パソコン用配線、電源線等、各種の配線類を納める収納部として用いることができる。
【００２３】
上記カバー部３の下面の左右側には垂下係合片３１が垂設され、この垂下係合片３１は、上記係止立片２１とタイトに当接して係合する。ここで、上記床固着部２は、カバー部３と同様に長尺ものとしてもよいし、適宜な間隔で短尺ものを複数個設け、複数個所で上記カバー部３を支承、保持してもよい。
【００２４】
図３（イ）、（ロ）、（ハ）は、本願発明の第１実施形態に係る固定部材Ａを用いて床パネル１を床下地に取付ける方法を示す説明図である。本実施形態においては、前記したように、床固着部２の係止立片２１の先端部には係止爪部２１１が付設されている。
【００２５】
まず、図３（イ）に断面図で示すように、床パネル１の長手方向側面に突設されたオス実１２を、上記床固着部２の係止爪部２１１によって係止し、固定用ビス５で仮留めする。ついで、図３（ロ）に断面図で示すように、他の床パネル１のオス実１２を上記と同様に他の側の係止爪部２１１によって係止し、固定用ビス５でしっかり床下地に取付ける。このようにして、２枚の床パネル１は、床固着部２によって床下地に取付けられる。
【００２６】
図３（ハ）は、上記床固着部２を着脱自在に覆うカバー部３によって施蓋した状態を示す断面図である。図３（ハ）に示されるように、上記カバー部材３の下面の左右側には垂下係合片３１が垂設され、この垂下係合片３１は上記係止立片２１と着脱自在に係合する。
【００２７】
ここで、上記カバー部材３の幅を目地１１間の間隔ｗと略等しく、すなわち、図２に示した距離ｄと略同一とすると共にカバー部材３と床パネル１の表面を面一にすることにより、あたかも、カバー部３が化粧溝を有するパネル１の一部のように見え、２枚の床パネル１どうしを違和感なく連接することができる。さらに、上記カバー部材３の表面を床パネル１の表面と同じデザインとすることにより、外観的には略同一となり、更に意匠性を向上させることができる。
【００２８】
図４は、本願発明の第２実施形態に係る固定部材Ｂを用いて床パネル１を床下地に取付けた状態を示す断面図である。本実施形態においては、固定部材Ｂの係止立片２１には、先端を外側に折り曲げて、さらに折り返した係止折曲片２１２が付設され、この係止折曲片２１２は床パネル１の両側側面に設けられたメス実１３に嵌合される。このように、左右のメス実１３に嵌合した折曲片２１２は、床固着部２の基底部２３を固定用ビス５でビス留めすることにより固定され、床パネル１は、しっかりと床下地に取り付けられる。
【００２９】
なお、本実施形態においては、図４に示すように、垂下係合片３１の下部における係止立片２１との係合面には、側面視鋸歯状の掛止部が設けられている。同様に係止立片２１の垂下係合片３１との係合面には、側面視鋸歯状の掛止部が設けられている。このようにすることにより、掛止部どうしがかみ合って、垂下係合片３１と係止立片２１とは着脱自在に、かつ、しっかりと係合させることができる。
【００３０】
図５は、本願発明の第３実施形態の固定部材に係る床固着部４を示す斜視図である。図５に示すように、上記床固着部４においては、床固着部４が短尺ものであり、係止立片２１の内側に第２係止立片２２が立設されている。そして、係止立片２１と第２係止立片２２とによって挟持部が形成され、両者の間にカバー部３の下面に垂設された垂下係合片３１を挟持させる。上記のように構成された床固着部４を床下地に一定間隔で設けることにより、長尺のカバー部３を複数個所で支承し、着脱自在に保持することができる。
【００３１】
なお、上記第１実施形態の変形例として、図２に示すカバー部３の下面の左右に垂設される垂下係合片３１を拡縮自在の弾性体から構成してもよい。例えば、硬質塩化ビニル樹脂等から垂下係合片３１を下方に広がるハ字形に形成し、弾性抵抗に抗して床固着部２に嵌入して弾性復帰させることにより、係止立片２１にしっかりと係止させることができる。このようにすることにより、ガタツキを防いで床固着部２の開口部を覆うことが可能となり、また、簡単に着脱することができる。
【００３２】
なお、上記実施形態はパネル１の両側面にオス実が、あるいはメス実が設けられた場合についてのべたが、片側がオス実、他の側がメス実であっても同様にして床パネル１を床下地に取り付けることができる。このように本願発明に係る床材の取付け構造は設計変更自在であり、特許請求の範囲を逸脱しない限り、いずれの場合も本願発明の技術的範囲に属する。
【符号の説明】
【００３３】
Ａ      本願発明の第１実施形態に係る固定部材
Ｂ      本願発明の第２実施形態に係る固定部材
ｄ      距離
ｗ      目地間の間隔
１      床パネル
１１    目地
１２    オス実
１３    メス実
２      床固着部
２１    係止立片
２１１  係止爪部
２１２  係止折曲片
２２    第２係止立片
２３    基底部
３      カバー部材
３１    垂下係合片
４      本願発明の第３実施形態の固定部材に係る床固着部
５      固定用ビス
【図１】
2010255242.tif 000003
【図２】
2010255242.tif 000004
【図３】
2010255242.tif 000005
【図４】
2010255242.tif 000006
【図５】
2010255242.tif 000007